(57)【要約】ハウジングの壁の開口部に取り付けるためのハーメチックシールされた導電性端子構成部品である。上記端子構成部品は、導電性コアにおいて相互に電気的に接続される第１および第２ピン部材を含む導電性ピン構成部品と、当該ピン構成部品をハウジングから絶縁するための第１および第２シールとを包含している。
2005526364.tif 000002
【特許請求の範囲】
【請求項１】
ハーメチックシールされた導電性端子構成部品であって、
穴と第１および第２端部とを有する環状スリーブと、
前記スリーブの前記穴の内部に配されたピン構成部品と、
ガラス金属シールを含む第１絶縁体とを備え、
前記第１絶縁体は、前記スリーブの前記穴と前記ピン構成部品との間に配されることにより、前記ピン構成部品を前記環状スリーブから電気的に絶縁し、
前記ピン構成部品は、
長手軸に沿って第１方向に伸張し、中央端部を有する第１ピン部材と、
前記長手軸に沿って第２方向に伸張し、中央端部を有する第２ピン部材と、
つばおよび少なくとも１つのねじ部を有するとともに前記第１ピン部材と前記第２ピン部材とを連結するコアと、
一対のセラミックスリーブを含む第２絶縁体とを備え、
前記第２絶縁体は、前記第１および第２ピン部材のそれぞれの前記中央端部付近において前記第１絶縁体と隣接するように配されることを特徴とするハーメチックシールされた導電性端子構成部品。
【請求項２】
前記コアが、第１ねじ伸張部と第２ねじ伸張部とを有するスタッド部を含み、
前記第１ねじ伸張部は、前記第１方向に伸張し、
前記第２伸張部は前記第２方向に伸張していることを特徴とする請求項１に記載の端子構成部品。
【請求項３】
前記第１ピン部材は第１ねじ穴を含み、
前記第２ピン部材は第２ねじ穴を含み、
前記第１ねじ穴には前記第１ねじ伸張部を嵌合することができ、
前記第２ねじ穴には前記第２ねじ伸張部を嵌合することができることを特徴とする請求項２に記載の端子構成部品。
【請求項４】
前記つばと前記スタッド部とが一体構造を有することを特徴とする請求項２に記載の端子構成部品。
【請求項５】
前記第１ピン部材は第１ねじ伸張部を有し、
前記第２ピン部材が第２ねじ伸張部を有し、
前記第１ねじ伸張部は、前記第１ピン部材の前記中央端部から前記第２方向に伸張し、
前記第２ねじ伸張部は、前記第２ピン部材の前記中央端部から前記第１方向に伸張することを特徴とする請求項５に記載の端子構成部品。
【請求項６】
前記つばは、第１ブラインドねじ穴と第２ブラインドねじ穴とを含み、
前記第１ブラインドねじ穴には、前記第１ピン部材の前記第１伸張部を嵌合することができ、
前記第２ブラインドねじ穴には、前記第２ピン部材の前記第２伸張部を嵌合することができることを特徴とする請求項５に記載の端子構成部品。
【請求項７】
前記つばはねじ穴を含み、
前記ねじ穴には、前記第１ピン部材の前記第１ねじ伸張部と、前記第２ピン部材の前記第２ねじ伸張部とを嵌合することができることを特徴とする請求項５に記載の端子構成部品。
【請求項８】
前記第１ねじ伸張部は、前記第２ねじ伸張部に直接継合されることを特徴とする請求項７に記載の端子構成部品。
【請求項９】
前記第１ねじ伸張部が、前記第２ねじ伸張部に蝋付けで継合されていることを特徴とする請求項８に記載の端子構成部品。
【請求項１０】
前記第１部材は、前記中央端部に対向する末端部を含み、
前記第２部材は、前記中央端部に対向する末端部を含み、
前記第１部材の前記末端部と前記第２ピン部材の前記末端部とは、一連のねじ山を有することを特徴とする請求項１に記載の端子構成部品。
【請求項１１】
前記つばが中央部材を含み、
前記中央部材の外径は、前記第１および第２ピン部材の外径と概して等しく、
前記つばは前記第１絶縁体に融着されていることを特徴とする請求項１に記載の端子構成部品。
【請求項１２】
前記セラミックスリーブの各々は、接着剤により前記第１絶縁体の対向する側面に接着されていることを特徴とする請求項１に記載の端子構成部品。
【請求項１３】
前記接着剤はエポキシであることを特徴とする請求項１１に記載の端子構成部品。
【請求項１４】
前記セラミックスリーブの各々は、前記環状スリーブの前記第１または第２端部のいずれか一方を越えて、前記第１または第２方向のいずれかの方向に伸張することにより、前記ピン構成部品と前記環状スリーブとの間の表面を保護することを特徴とする請求項１に記載の端子構成部品。
【請求項１５】
前記環状スリーブは外ねじ部を含み、
前記外ねじ部により、前記ハーメチック構成部品を対応するねじ穴に取り付けることができることを特徴とする請求項１に記載の端子構成部品。
【請求項１６】
前記コアは銅から作られることを特徴とする請求項１に記載の端子構成部品。
【請求項１７】
前記コアは真鍮から作られることを特徴とする請求項１に記載の端子構成部品。
【請求項１８】
ハーメチックシールされた導電性端子構成部品であって、
穴と第１および第２端部とを有する環状スリーブと、
前記スリーブの前記穴の内部に配されたピン構成部品と、
ガラス金属シールを含む第１絶縁体とを備え、
前記第１絶縁体は、前記スリーブの前記穴と前記ピン構成部品との間に配されることにより、前記ピン構成部品を前記環状スリーブから電気的に絶縁し、
前記ピン構成部品は、
長手軸に沿って第１方向に伸張する第１ピン部材と、
前記長手軸に沿って前記第２方向に伸張する第２ピン部材と、
つばおよび少なくとも１つの穴を有するコアと、
一対のセラミックスリーブを有する第２絶縁体とを備え、
前記第１ピン部材は、中央端部において前記長手軸の第２方向に伸張する第１伸張部を有し、
前記第２ピン部材は、中央端部において前記長手軸の前記第１方向に伸張する第２伸張部を有し、
前記コアには、前記第１ピン部材と前記第２ピン部材とをそれぞれ挿入することができ、
前記第２絶縁体は、前記第１および第２ピン部材の各々の前記中央端部付近において前記第１絶縁体に隣接するように配されることを特徴とするハーメチックシールされた導電性端子構成部品。
【請求項１９】
前記第１伸張部は第１ねじ部を含み、
前記第２伸張部は第２ねじ部を含むことを特徴とする請求項１８に記載の端子構成部品。
【請求項２０】
前記つばは、第１ブラインドねじ穴と第２ブラインドねじ穴とを含み、
前記第１ブラインドねじ穴には、前記第１伸張部の前記第１ねじ部を嵌合することができ、
前記第２ブラインドねじ穴には、前記第２伸張部の前記第２ねじ部を嵌合することができることを特徴とする請求項１９に記載の端子構成部品。
【請求項２１】
前記つばはねじ穴を含み、
前記ねじ穴には、前記第１伸張部の前記第１ねじ部と、前記第２伸張部の前記第２ねじ部とを嵌合することができることを特徴とする請求項１９に記載の端子構成部品。
【請求項２２】
前記第１伸張部は、前記第２伸張部に直接継合されていることを特徴とする請求項２１に記載の端子構成部品。
【請求項２３】
前記第１伸張部は、前記第２伸張部に蝋付けで継合されていることを特徴とする請求項２２に記載の端子構成部品。
【請求項２４】
前記第１伸張部は錐台を含み、
前記第２伸張部は先細り穴を含み、
前記先細り穴に前記錐台を嵌合することにより前記第１ピン部材と前記第２ピン部材とを継合できることを特徴とする請求項１８に記載の端子構成部品。
【請求項２５】
前記つばは穴を有し、
前記穴は、前記第１および第２ピン部材の継ぎ目において、前記第１および第２伸張部を受け入れることができることを特徴とする請求項２４に記載の端子構成部品。
【請求項２６】
前記第１部材は、前記中央端部に対向する末端部を含み、
前記第２部材は、前記中央端部に対向する末端部を含み、
前記第１部材の前記末端部と、前記第２ピン部材の前記末端部とは、ねじ部を有することを特徴とする請求項１８に記載の端子構成部品。
【請求項２７】
前記つばの外径は、前記第１および第２ピン部材の外径と概して等しく、
前記つばは、前記第１絶縁体に融着されていることを特徴とする請求項１８に記載の端子構成部品。
【請求項２８】
前記セラミックスリーブは、接着剤により前記第１絶縁体にそれぞれ接着されていることを特徴とする請求項１８に記載の端子構成部品。
【請求項２９】
前記接着剤がエポキシであることを特徴とする請求項２８に記載の端子構成部品。
【請求項３０】
前記セラミックスリーブの各々は、前記環状スリーブの前記第１または第２端部のいずれか一方を越えて前記第１または第２方向のいずれかの方向に伸張することにより、前記ピン構成部品と前記環状スリーブとの間の表面を保護することを特徴とする請求項１８に記載の端子構成部品。
【請求項３１】
前記環状スリーブは外ねじ部を含み、
前記外ねじ部により、前記ハーメチック構成部品を対応するねじ穴に取り付けることができることを特徴とする請求項１８に記載の端子構成部品。
【請求項３２】
前記コアは銅から作られることを特徴とする請求項１８に記載の端子構成部品。
【請求項３３】
前記コアは真鍮から作られることを特徴とする請求項１８に記載の端子構成部品。
【請求項３４】
端子挿設装置であって、
内側にねじ山が付けられたねじ開口部を配した壁を有するハウジングと、
前記ハウジングの前記壁の前記開口部に挿入される導電性の端子構成部品とを備え、
前記端子構成部品は、
穴を有する外ねじ環状スリーブと、
前記環状スリーブの前記穴の内部に配されたピン構成部品と、
前記スリーブの前記穴と前記ピン構成部品との間に配された第１絶縁体とを備え、
前記外ねじ環状スリーブは、前記ハウジングの前記壁の前記ねじ開口部とともに機能することができ、
前記第１絶縁体は、前記ピン構成部品を前記環状スリーブと前記ハウジングとから電気的に絶縁し、
前記ピン構成部品は、
長手軸に沿って第１方向に伸張する第１ピン部材と、
前記長手軸に沿って第２方向に伸張する第２ピン部材と、
つばおよび少なくとも１つのねじ部を有するコアと、
第２絶縁体とを備え、
前記第１ピン部材は、中央端部を有し、
前記第２ピン部材は、中央端部を有し、
前記コアは、前記第１ピン部材と前記第２ピン部材とを接続し、
前記第２絶縁体は、前記第１および第２ピン部材のそれぞれの前記中央端部付近において前記第１絶縁体に隣接するように配されることを特徴とする端子挿設装置。
【請求項３５】
ハーメチックシールされた導電性端子構成部品であって、
穴と第１および第２端部とを有する環状スリーブと、
前記スリーブの前記穴の内部に配されたピン構成部品と、
ガラス金属シールを含む第１絶縁体とを備え、
前記第１絶縁体は、前記スリーブの前記穴と前記ピン構成部品との間に配されることにより前記ピン構成部品を前記環状スリーブから電気的に絶縁し、
前記ピン構成部品は、
長手軸に沿って第１方向に伸張する第１ピン部材と、
前記長手軸に沿って第２方向に伸張する第２ピン部材と、
前記第１ピン部材と前記第２ピン部材とを接続するコアと、
一対のセラミックスリーブを有する第２絶縁体とを備え、
前記第１ピン部材は、中央端部において第１穴を有し、
前記第２ピン部材は、中央端部において第２穴を有し、
前記コアは、前記第１ピン部材の前記第１穴と前記第２ピン部材の前記第２穴とに嵌合し、
前記第２絶縁体は、前記第１および第２ピン部材の各々の前記中央端部付近において前記第１絶縁体に隣接するように配されることを特徴とするハーメチックシールされた導電性端子構成部品。
【請求項３６】
前記コアは外部と内部とを有することを特徴とする請求項３５に記載の端子構成部品。
【請求項３７】
前記外部または前記内部の少なくとも一方はねじ部を有し、
前記ねじ部は、前記第１および第２穴のうちの１つに嵌合するように適合化されていることを特徴とする請求項３６に記載の端子構成部品。
【請求項３８】
前記コアは、第１伸張部と第２伸張部とを有し、
前記第１伸張部は、前記第１穴に嵌合するように適合化されており、
前記第２伸張部は、前記第２穴に嵌合するように適合化されていることを特徴とする請求項３５に記載の端子構成部品。
【請求項３９】
前記第１伸張部はねじ部を有し、
前記第２伸張部はねじ部を有することを特徴とする請求項３８に記載の端子構成部品。
【請求項４０】
前記第１伸張部は、前記ねじ部から伸張する中央部を有し、
前記中央部は、前記第１ピンと相互作用し、
前記第２伸張部は、前記ねじ部から伸張する中央部を有し、
前記中央部は、前記第２ピンと相互作用することを特徴とする請求項３９に記載の端子構成部品。
【請求項４１】
前記コアは銅を含有することを特徴とする請求項３５に記載の端子構成部品。
【請求項４２】
前記コアはステンレス鋼を含有することを特徴とする請求項３５に記載の端子構成部品。
【発明の詳細な説明】
【発明の詳細な説明】
【０００１】
〔技術分野〕
本発明は、ハウジングの壁の開口部に取り付けるのに適したハーメチックシールされた導電性端子構成部品（hermetically sealed current conducting terminal assembly）に関するものである。
【０００２】
〔背景技術〕
ハーメチックシールされた導電性端子構成部品をハウジングに取り付けることにより、そのハウジングの壁を通して電気的な接続を可能にしつつ、端子構成部品をハウジングとは電気的に絶縁させることができるということは知られている。そのような端子構成部品には、導電性端末ピン（current conducting terminal pin）、すなわち、電源と接続されるピンの外部セグメント（segment）と、ハウジングの内部に密閉式に閉じ込められ、ハウジングの内部にある装置、例えば、シールドモータユニット（sealed motor unit）と接続される内部セグメントとが組み込まれている。
【０００３】
図６に示すように、多くの端子構成部品１０は、ハウジング板（housing plate）１２とハウジング壁（walled housing）１４とを貫いて延びている。ハウジング板１２とハウジング壁１４とは、一連の取り付け穴１６と付随留め金具１８を有しており、これらによってハウジング板１２がハウジング壁１４に取り付けられる。さらに、ハウジング板１２とハウジング壁１４とは、多くの同軸配置ねじ穴（coaxially aligned threaded bore）２０を有しており、この同軸配置ねじ穴２０に端子構成部品１０が挿入される。
【０００４】
端子構成部品１０は、ハウジング板１２とハウジング壁１４とが備える同軸配置ねじ穴２０に挿入される。端子構成部品の配置方法のひとつは、アメリカ合衆国特許Ｎｏ．５，２２７，５８７（１９９３年７月１３日公開、出願人；F. Dieter Paterek）の文献に記載されており、一般的な配置がハーメチックシールされたハウジングに適している。
【０００５】
図７に示すように、Paterekのハーメチック端末構成構成部品１０は、環状スリーブ（annular sleeve）２６、ハーメチックシール２８、一対の絶縁環状セラミックスリーブ３０、導電性ピン３２を備えている。環状スリーブ２６は、一連のねじやま３４を有しており、このねじやま３４により端子構成部品１０をハウジング板１２またはハウジング壁１４の配置ねじ穴２０に取り付けることができる。導電性ピン３２は、第一ねじ込み形（first threaded end）３６と第二ねじ込み形とを自身の一部として有している。第一ねじ込み形３６と第二ねじ込み形３８とは、一般にハウジング壁１４の外部に配置される外部電源とハウジング壁１４の内部に配置される内部電源とをそれぞれ連結することができる。
【０００６】
ハーメチックシール２８および環状セラミックスリーブ３０は、導電性ピン３２と環状スリーブとを電気的に分離する。このため、ハーメチックシール２８および環状セラミックスリーブ３０によって、導電性ピン３２がハウジング壁１４の中から外へ、および、外から中へ電気を伝える際に、ハウジングの壁４０に電気が伝わらなくなる。
【０００７】
上記の端子構成部品は比較的高価であり、製造することが難しいものである。それゆえ、製造が容易で、比較的安価で、しかも導電性ピンとハウジングとを効果的に絶縁するハーメチックシールされた端子構成部品が工業において求められている。
【０００８】
〔発明の概要〕
本発明では、独立式のハーメチックシールされた端子構成部品を提供する。本発明品は、ハウジングのハウジング板およびハウジング壁に取り付けるのに適している。上記端子構成部品は、コア（core）と連結している第一ピン部材と第二ピン部材とを有する多成分の導電性ピン構成部品を含んでいる。少なくともいくつかの実施の形態において、上記コアは物理的におよび/または電気的に第一および第二のピン構成部品とつながっている。環状スリーブはピン構成部品の周囲において軸方向に配されている。上記ピン構成部品は、ガラス金属シール（glass-to-metal seal）により環状スリーブに融着されている。上記ガラス金属シールは、上記ピン部材と上記環状スリーブとの間を電気的に絶縁する第一のハーメチックシールである。加えて、第一と第二のスリーブは、第一と第二のピン部材にかぶさるようにコアの反対側に配置されている。これにより、第二の電気的絶縁シールが形成され、ピン部材と環状スレーブとの間の表面保護（oversurface protection）が行われる。
【０００９】
本発明のさらなる適用範囲は、後述する詳細な説明により明らかになるであろう。その詳細な説明と特定の例は、本発明の好ましい実施の形態を表しているものであり、実例を挙げることだけを意図したものであって、本発明の範囲を限定するものではない。
【００１０】
本発明は、後述する詳細な説明と以下に示す付随の図面によって、十分に理解されるであろう。
【００１１】
図１は、第一および第二のピン部材と、円筒形の環を含むコアとねじやまを切った伸張部を有するスタッド部（stud portion）とを含む、ハウジングに取り付けられた端子構成部品の断面図である。図２は、他の実施の形態にかかる端子構成部品の断面図であり、第一および第二のピン部材と、円筒形の環を含むコアと、ねじやまを切った一体構造を有する伸張部とを備えた端子構成部品の断面図である。
【００１２】
図３は、他の実施の形態にかかる端子構成部品の断面図であり、第一および第二のピン部材と、第一および第二のピン部材のひとつをそれぞれ受け入れるための内部にねじやまを切った２つの隠し穴を含む円筒形の環端子構成部品とを含む端子構成部品の断面図である。図４は、４番目の実施の形態にかかる端子構成部品の断面図であり、第一および第二のピン部材と、第一および第二のピン部材を受け入れる穴を有する円筒形の環とを含む端子構成部品の断面図である。
【００１３】
図５は、他の実施の形態にかかる端子構成部品の断面図であり、第一および第二のピン部材を有するピン構成部品と、第一および第二のピン部材の両方を受け入れるねじ穴（threaded through bore）を有する環とを含む端子構成部品の断面図である。図６は、多くのハーメチックシールされた導電性端子構成部品を備えたハウジングのハウジング板およびハウジング壁の斜視図である。
【００１４】
図７は、一体化された導電性ピンを有する端子構成部品の断面図である。
【００１５】
〔好ましい実施形態の詳細な説明〕
以下に記述する好ましい実施形態は、単なる一例であり、本発明および本発明の適用範囲や使用方法を限定するものではない。
【００１６】
図１〜図５は、ハーメチックシールされたハウジング５０の壁に装着されるハーメチックシールされた導電性ピン挿設装置（current conducting pin installation）１００・２００・３００・４００・５００のさまざまな構成を示している。このハウジング５０は、例えば３００馬力のレベルのコンプレッサーなど、高い動作電圧および電流を必要とする比較的大きい寸法の機器のハウジングとなることができる。低い電力および電圧を必要とする従来の制御ユニットも、このシールされたハウジング５０の中に収納されても良い（不図示）。コンプレッサーおよび制御ユニットの両方に必要な、異なる所要量の電力が、ハーメチックシールされた導電性ピン挿設装置１００・２００・３００・４００・５００により伝送される。
【００１７】
本発明はより大きいタイプのコンプレッサーや制御ユニット用の密封ハウジングに特に適しているが、本発明の数々の特徴は、開示されている特定の寸法や形状に特に限定して解釈されるものではなく、そのような特徴は、所要電力が低い機器など、他の機器にも利用することができる。
【００１８】
図１に示すように、ハーメチックシールされた導電性ピン挿設装置１００の第１実施形態は、環状スリーブ１０２、ピン構成部品（pin assembly）１０４、第１絶縁体・ハーメチックシール(first insulator and hermetic seal)１０６、第２絶縁体１０８を含む。
【００１９】
環状スリーブ１０２は実質的に円筒状の部材で、穴（bore）１１０、第１端部に軸上フランジ（axial flange）１１２、ハウジング５０のより大きな開口部と対応するねじ山と噛合するねじ山１１４を有するねじ部（threaded portion）を備えている。上記ねじ部の継ぎ目と軸上フランジ１１２とにより、軸上凹部（axial recess）１１６が形成され、ここにＯ型リング１１８が配される。このＯ型リング１１８がハウジング５０の外側壁に密接することにより密閉を行なう。ここではＯ型リング１１８が開示されているが、ハウジング壁の外側面と環状スリーブ１０２の軸上フランジ１１２とを適切に密閉するのに適したガスケットであればいずれでも使用でき、このような変更は本発明の範囲内にあるものと考えられる。
【００２０】
ピン構成部品１０４は、第１縦通ピン部材（a first longitudinal pin member）１２０と、第２縦通ピン部材１２２とを含み、各々は、銅または真鍮などの導電性材料からなる。第１ピン部材１２０は、実質的に円筒状で、その長さに渡って概して一定の直径を有する。第１ピン部材１２０は、その末端部１２６においてねじ部１２４を有し、中央端部（proximal end）１３０においてねじ穴（threaded bore）１２８を有する。
【００２１】
第２ピン部材１２２も、実質的に円筒状で、その長さに渡って一定の直径を有する。第２ピン部材１２２は、同様にその末端部１３４においてねじ部１３２を含み、中央端部１３８において穴１３６を有する。本発明では、ピン部材１２０・１２２は、ステンレス鋼から形成されるが、導電性材料であればいかなる材料でも使用でき、このような変更も本発明の範囲内にあると考えられる。
【００２２】
ピン部品１０４は、コア（core）１４０も含むが、当該コアは、第１縦通ピン部材１２０と第２縦通ピン部材１２２とを物理的につなぎ、電気的に接続する。上記コア１４０は、ステンレス鋼製の管（つば）１４２と中央部（スタッド部（stud portion））１４４とを含み、スタッド部１４４は、例えば銅などの導電性材料より形成される。つば１４２は、内面１４６と外面１４８とを含む。外面１４８は、概してピン部材１２０・１２２の直径と同じ直径を有する。つば１４２はその中央部でスタッド１４４を囲み、スタッド１４４の第１伸張部１５０と第２伸張部１５２は、つば１４２から逆方向に伸びる。つば１４２は、その内面１４６においてスタッド１４４に蝋付けされ、これによりつば１４２がスタッド１４４に固定される。
【００２３】
スタッド１４４は、概して円筒状で、第１縦通ピン部材１２０と第２縦通ピン部材１２２との間に設置される。スタッド１４４の第１伸張部１５０は、第１ピン部材１２０の穴１２８に受容され、スタッド１４４の第２伸張部１５２は、第２ピン部材１２２の穴１３６に受容される。第１縦通ピン部材１２０と第２縦通ピン部材１２２とは、スタッド１４４によりたがいに連結される。
【００２４】
つば１４２の外面１４８の直径は、概して、縦通ピン部材１２０・１２２の直径と同じである。このため、つば１４２の外面１４８は、第１縦通ピン部材１２０の外面１５４と、第２縦通ピン部材１２２の外面１５６との両方と同一面上にある。
【００２５】
上記スタッド１４４は、銅から形成されているが、例えば真鍮などのほかの導電性材料も使用可能で、このような変更も本発明の範囲内にあると考えられる。
【００２６】
第１絶縁体・シール１０６は、つば１４２の外面１４８と、環状スリーブ１０２の内面１５８との間に配され、ハーメチックシールするとともにピン部品１０４を環状スリーブ１０２から電気的に絶縁する。絶縁体・シール１０６はハーメチックシール１６０を形成し、絶縁体・シール１０６は、当業者には公知のガラス金属シールを含んでいる。上記ガラス金属シールは、ピン部品１０４と、環状スリーブ１０２の内面１５８との両方に融着されてもよい。
【００２７】
第２絶縁体１０８は、一対の対向する環状セラミックスリーブ１６２・１６４を有し、これらはピン部品１０４の第１および第２縦通ピン部材１２０・１２２を、その各々の中央端部１３０・１３８において囲んでいる。第２絶縁体１０８は、ピン部材１２０・１２２の表面を保護し、ピン部品１０４をさらに、環状スリーブ１０２およびハウジング５０の両方から絶縁している。各絶縁スリーブ１６２・１６４は、ハーメチックシール１６０の対向する面１６６・１６８に、互いに対照的に配置されている。絶縁スリーブ１６２・１６４が備える小径部（smaller diameter portion）１７４・１７６の低端面（lower extremity face）１７０・１７２は、ハーメチックシール１６０の面１６６・１６８に融着またはエポキシ接着可能である。
【００２８】
絶縁スリーブ１６２・１６４の小径部１７４・１７６は、その第１面１７８で外側にねじ山をつけた環状スリーブ１０２の内面１５８と接触し、第２面１８０においてピン構成部品１０４の縦通ピン部材１２０・１２２の外面１５４・１５６と接触している。各絶縁体１６２・１６４の大径環状ショルダー（larger diameter annular shoulder）１８２・１８４は、環状スリーブ１０２の外面端部１８６・１８８と重なるように配置される。
【００２９】
上述したように、第１および第２絶縁体１０６・１０８によって、ピン構成部品１０４を環状スリーブ１０２から電気的に絶縁することができる。このようにして、導電性ピン挿設装置１００は、環状スリーブ１０２を介してハウジング５０に装着され、電流は、ピン部品１０４を通ってハウジング壁５４の両側面５２・５６の間を流れる。
【００３０】
図２に示すように、ハーメチックシールされた導電性ピン挿設装置２００の第２実施形態は、環状スリーブ１０２、第１および第２絶縁体１０６・１０８、ピン構成部品２０４を有している。
【００３１】
概して、ハーメチックシールされた導電性ピン挿設装置２００は、上述のハーメチックシールされた導電性ピン挿設装置１００と実質的に同様である。ハーメチックシールされた導電性ピン挿設装置１００とハーメチックシールされた導電性ピン挿設装置２００とに関連する部品の構造および機能が実質的に類似していることを鑑みて、同様の部品を特定する場合には、説明および図面において同じ符号を使用する。
【００３２】
この実施形態におけるピン構成部品２０４は、一体構造を有するコア２４０を有している。コア２４０は、中央円筒つば部（central cylindrical collar portion）２４４と、第１および第２伸張部（スタッド）２５０・２５２とを有する。中央つば部２４４の外面２４８は、概してピン部材１２０・１２２の外面と同等のものである。中央つば部２４４は、外面２４８に沿って、第１絶縁体・シール１０６に装着されている。第１および第２伸張部２５０・２５２は、ピン構成部品２０４の第１および第２ピン部材１２０・１２２に受容され、これによって、ピン構成部品２０４の第１および第２ピン部材１２０・１２２は、上述のように中央つば２４４に結合される。
【００３３】
図３に示すように、ハーメチックシールされた導電性ピン挿設装置３００の第３実施形態は、環状スリーブ１０２、第１および第２絶縁体１０６・１０８、およびピン構成部品３０４を有している。
【００３４】
ハーメチックシールされた導電性ピン挿設装置３００は、上述のハーメチックシールされた導電性ピン挿設装置１００と実質的に同様である。ハーメチックシールされた導電性ピン挿設装置１００とハーメチックシールされた導電性ピン挿設装置３００とに関連する部品の構造および機能が実質的に類似していることを鑑みて、同様の部品を特定する場合には、説明および図面において同じ符号を使用する。
【００３５】
ピン挿設装置３００は、コア３４０を有し、このコア３４０は、第１および第２ブラインドねじ穴（blind threaded bore）３９０・３９２と外面３４８とを含む円筒状つば(cylindrical collar)３４１を有する。外面３４８は、概してピン構成部品３０４のピン部材３２０・３２２と同等の直径を有している。コア３４０は、概してその外面３４８において、第１絶縁体・シール１０６に装着され、ピン構成部品３０４を環状スリーブ１０２から絶縁する。
【００３６】
ピン構成部品３０４は、第１縦通ピン部材３２０と、第２縦通ピン部材３２２とを含んでいる。第１縦通ピン部材３２０と、第２縦通ピン部材３２２とは、コア３４０によって物理的に結合され、電気的に接続される。第１ピン部材３２０は、第１円筒ポスト（first cylindrical post）３９４を含み、第１円筒ポスト３９４は中央端部３３０から伸びている。ポスト３９４は、コア３４０の対応する内側の雌ねじ３９５と相互作用する外側の雄ねじ３９３を含んでいる。同様に第２ピン部材３２２は、第２円筒ポスト３９６を含んでいる。第２円筒ポスト３９６は、中央端部３３８から伸び、コア３４０の対応する内側の雌ねじ３９９と相互作用する外側の雄ねじ３９７を有している。第１および第２ポスト３９４・３９６は、それぞれ、コア３４０の第１および第２ねじ穴３９０・３９２に受容され、これにより第１ピン部材３２０および第２ピン部材３２２の両方がコア３４０と結合される。
【００３７】
図４に示すように、ハーメチックシールされた導電性ピン挿設装置４００の第４実施形態は、環状スリーブ１０２、第１および第２絶縁体１０６・１０８、ピン構成部品４０４を有している。
【００３８】
ハーメチックシールされた導電性ピン挿設装置４００は、概して、上述のハーメチックシールされた導電性ピン挿設装置１００と実質的に同様である。ハーメチックシールされた導電性ピン挿設装置１００とハーメチックシールされた導電性ピン挿設装置４００とに関連する部品の構造および機能が実質的に類似していることを鑑みて、同様の部品を特定する場合には、説明および図面において同じ符号を使用する。
【００３９】
ピン構成部品４０４は、コア４４０、第１ピン部材４２０、および第２ピン部材４２２を含む。第１および第２ピン部材４２０・４２２は、直接互いに物理的および電気的に接続されるように組み合わせることができる。具体的には、第１部材４２０は、第１円筒状ポスト４９４の中央端部４３０で形成される錐台４０１を含み、この錐台４０１は、第２部材４２２の第２円筒状ポスト４９６に形成された先細り穴４０３に挿入される。第２円筒状ポスト４９６は、第２ピン部材４２２の中央端部４３８で形成される。
【００４０】
コア４４０は、第１および第２ポスト４９４・４９６の間の連結部分を囲む。コア４４０は、ステンレス鋼製の管（つば）１４２を有し、つば１４２は内面１４６および外面１４８を有する。内面１４６は、第１および第２円筒状のポスト４９４・４９６の外面４０５・４０７と密接し、外面１４８は、第１シール１０６に密着されている。つば１４２は、ピン構成部品４０４の第１および第２部材４２０・４２２と接触し、つば１４２の外面１４８と、第１および第２ピン部材４２０・４２２の外面１５４・１５６とが、互いに同一平面上にある。
【００４１】
図５に、ハーメチックシールされた導電性ピン挿設装置５００の第５実施形態が図示される。ハーメチックシールされた導電性ピン挿設装置５００は、上述のハーメチックシールされた導電性ピン挿設装置１００と実質的に同様である。ハーメチックシールされた導電性ピン挿設装置１００とハーメチックシールされた導電性ピン挿設装置５００とに関連する部品の構造および機能が実質的に類似していることを鑑みて、同じ部品を特定する場合には、説明および図面において同じ符号を使用する。
【００４２】
導電性ピン挿設装置５００は、環状スリーブ１０２、第１絶縁体・シール５０６、第２絶縁体１０８、ピン構成部品５０４を有するものとして図示されている。ピン構成部品５０４は、コア５４０、第１ピン部材５２０および第２ピン部材５２２を有する。第１部材５２０は、外部雄ねじ５９３を有する第１伸張部５９４を含み、この伸張部５９４は、同様に外部雄ねじ５９７を含む第２ピン部材５２２の第２伸張部５９６に隣接して配置されている。第１および第２伸張部５９４・５９６の対向面は、特に限定されないが、蝋付けなどの適切な方法で結合されても良い。
【００４３】
コア５４０は、第１および第２ポスト５９４・５９６の間の境界面を囲み、第１および第２部材５２０・５２２を第１絶縁体・シール５０６に結合するように配置可能である。コア５４０はステンレス鋼製の管（つば）５４２を有し、このつば５４２の内面５４６は一連のねじ山５０９を含み、これが、第１および第２円筒上のポスト５９４・５９６の第１および第２ねじ山５９３・５９７と噛合する。さらに、つば５４２は、その外面１４８で、第１絶縁体・シール５０６に密着する。つば５４２は、ピン構成部品５０４の第１および第２ピン部材５２０・５２２と接触し、つば５４２の外面１４８と、第１および第２部材５２０・５２２の外面１５４・１５６とは、互いに同一平面上にある。
【００４４】
第１シール５０６は、適切なガラス材料から形成され、中央部５１１を含み、中央部５１１の側面は一対のエポキシ層（epoxy layer）である。エポキシ層５１３は、第１絶縁体・シール５０６の中央部５１１を、つば５４２の外面１４８と、第２絶縁体１０８の小径部１７４・１７６とに密着させるためのもので、これにより、確実に、ピン構成部品５０４と、第１および第２絶縁体５０６・１０８とを持続的に密閉することができる。
【００４５】
上記の説明により、ハーメチックシールされた導電性の端子構成部品が、迅速に取り付けられ、保守のために取り除かれることが可能であることが理解されるであろう。さらに、各実施形態は、製造時間、労力、および費用を削減したハーメチックシールされた導電性の端子構成部品を作るための新規の取り組みを提示している。
【００４６】
本発明の説明は、単に説明するためのものである。それゆえ、本発明の主旨から外れない限り、いかなる変更も本発明の範囲内にあるものと意図される。このような変更は、本発明の思想と範囲とから外れるものとはみなされない。
【図面の簡単な説明】
【００４７】
【図１】ハウジングに設けられた本発明の端子構成部品を示す断面図である。
【図２】本発明の端子構成部品にかかる別の実施形態を示す断面図である。
【図３】本発明の端子構成部品にかかる別の実施形態を示す断面図である。
【図４】本発明の端子構成部品にかかる第４の実施形態を示す断面図である。
【図５】本発明の端子構成部品にかかる別の実施形態を示す断面図である。
【図６】複数のハーメチックシールされた導電性の端子構成部品を含むハウジング板および壁のあるハウジングの斜視図である。
【図７】一体構造の導電性ピンを有する端子構成部品の断面図である。
【図１】
2005526364.tif 000003
【図２】
2005526364.tif 000004
【図３】
2005526364.tif 000005
【図４】
2005526364.tif 000006
【図５】
2005526364.tif 000007
【図６】
2005526364.tif 000008
【図７】
2005526364.tif 000009
【国際調査報告】
2005526364.tif 000010
2005526364.tif 000011